(57)【要約】【課題】取付施工がきわめて簡単で、施工費の大幅な低減化を図ることのできる手摺支柱の取付構造を提供する。【解決手段】内部にボルトねじ込み筒１３を軸方向に一体形成したアルミ押出型材からなる手摺支柱５のボルトねじ込み筒１３にアンカーボルト４の一端部側をねじ込んで固定して、その他端部側を手摺支柱５の下端より突出させ、アンカーボルト４の突出端部側を、堰壁１の支柱取付位置に穿設したボルト埋設用凹孔２に硬化性充填剤を介して挿入し、硬化性充填剤の硬化によってアンカーボルト４を堰壁１上に直立状態に取り付け固定してなる。【選択図】図３
2005226376.tif 000002
【特許請求の範囲】
【請求項１】
内部に一つ又は複数のボルトねじ込み筒を軸方向に一体形成したアルミ押出型材からなる手摺支柱の前記ボルトねじ込み筒にアンカーボルトの一端部側をねじ込んで固定して、その他端部側を手摺支柱の下端より突出させ、このアンカーボルトの突出端部側を、堰壁の支柱取付位置に穿設したボルト埋設用凹孔に硬化性充填剤を介して挿入し、この硬化性充填剤の硬化によってアンカーボルトを堰壁上に直立状態に取り付け固定してなる手摺支柱の取付構造。
【請求項２】
堰壁上面から直立する手摺支柱の足元部には、上端開口部が手摺支柱に密接外嵌し、下端開口部が上端開口部よりも広口で堰壁上面に密接するような台形筒状に形成した合成樹脂製の足元化粧カバーを、手摺支柱にビス止めして取り付けてなる請求項１に記載の手摺支柱の取付構造。
【請求項３】
足元化粧カバーは、周壁の一部が切除されて水平断面略Ｃ字状に形成されたカバー本体と、このＣ字状カバー本体の切欠開口部を補完する形状に形成され、その切欠開口部に着脱可能に掛嵌される取付片とからなり、取付片には手摺支柱にビス止めするビス孔が設けられている請求項２に記載の手摺支柱の取付構造。
【発明の詳細な説明】
【技術分野】
【０００１】
本発明は、建物の屋上の周縁部やベランダの外縁部に突設された水返し用堰壁や建物室内の階段部分に突設された堰壁に設置される手摺に関するもので、特に手摺支柱の取付構造に関する。
【背景技術】
【０００２】
従来における手摺支柱の取付構造として、例えば特許文献１に記載されたものがある。その取付構造は、アンカー本体とこれの下部側に固着したアンカー鉄筋とからなる支柱アンカーを予めユニットに形成しておいて、この支柱アンカーの下部側アンカー鉄筋を、堰壁の支柱取付位置に穿設したボルト埋設用凹孔に硬化性充填剤を介して挿入し、この硬化性充填剤の硬化によって支柱アンカーを堰壁上に直立状態に取り付け固定してなるものである。
【特許文献１】特開平１１−２７００９２号公報
【発明の開示】
【発明が解決しようとする課題】
【０００３】
特許文献１に記載された従来の手摺支柱の取付構造では、支柱アンカーとして、例えば金属製の扁平筒状体からなるアンカー本体と、これの下部に溶接により固着されて下方へ突出する一対の鉄筋とをユニットにしたものを予め形成しておく必要があり、しかもこのユニット形成した支柱アンカーの下部側アンカー鉄筋を堰壁のボルト埋設用凹孔に硬化性充填剤を介して挿入し、固着立設した後、この支持アンカーに挿入した手摺支柱を、支持アンカーにビス止めする必要があることから、支持アンカーの製作及びその取付けに可なり手間がかかって、施工費が高くつく難点があった。
【０００４】
本発明は、上記の課題に鑑み、取付施工がきわめて簡単で、施工費の大幅な低減化を図ることのできる手摺支柱の取付構造を提供することを目的とする。
【課題を解決するための手段】
【０００５】
上記課題を解決するための手段を、後述する実施形態の参照符号を付して説明すると、請求項１に係る発明の手摺支柱５の取付構造は、内部に一つ又は複数のボルトねじ込み筒１３を軸方向に一体形成したアルミ押出型材からなる手摺支柱５の前記ボルトねじ込み筒１３にアンカーボルト４の一端部側をねじ込んで固定して、その他端部側を手摺支柱５の下端より突出させ、このアンカーボルト４の突出端部側を、堰壁１の支柱取付位置に穿設したボルト埋設用凹孔２に硬化性充填剤３を介して挿入し、この硬化性充填剤３の硬化によってアンカーボルト４を堰壁１上に直立状態に取り付け固定してなることを特徴とする。
【０００６】
請求項２は、請求項１に記載の手摺支柱の取付構造において、堰壁上面１ａから直立する手摺支柱５の足元部には、上端開口部１１ａが手摺支柱５に密接外嵌し、下端開口部１１ｂが上端開口部１１ａよりも広口で堰壁上面１ａに密接するような台形筒状に形成した合成樹脂製の足元化粧カバー１１を、手摺支柱５にビス１８止めして取り付けてなることを特徴とする。
【０００７】
請求項３は、請求項２に記載の手摺支柱の取付構造において、足元化粧カバー１１は、周壁１５ａの一部が切除されて水平断面略Ｃ字状に形成されたカバー本体１５と、このＣ字状カバー本体１５の切欠開口部１６を補完する形状に形成され、その切欠開口部１６に着脱可能に掛嵌される取付片１７とからなり、取付片１７には手摺支柱５にビス１８止めするビス孔１９が設けられていることを特徴とする。
【発明の効果】
【０００８】
上記解決手段による発明の効果を、後述する実施形態の参照符号を付して説明すると、請求項１に係る発明によれば、手摺支柱５の取付けにあたり、手摺支柱５のボルトねじ込み筒１３にアンカーボルト４の一端部側をねじ込んで、その他端部側を手摺支柱５の下端より突出させ、このアンカーボルト４の突出端部側を、堰壁１のボルト埋設用凹孔２に硬化性充填剤３を介して挿入し、この充填剤３の硬化によってアンカーボルト４を堰壁１上に直立状態に取り付け固定したものであって、従来のように支柱アンカーを特別に製作する必要がなく、またボルト埋設用凹孔へのアンカーの挿入後に手摺支柱をアンカーに固定する作業等が一切不要であるから、従来の取付構造に比べ、手摺支柱５の取付施工がきわめて簡単且つ容易となって、施工費の大幅な低減化を図ることのできる。
【０００９】
請求項２に係る発明によれば、堰壁上面１ａから直立する手摺支柱５の足元部に、上端開口部１１ａが手摺支柱５に密接外嵌し、下端開口部１１ｂが堰壁上面１ａに密接するような台形筒状に形成した合成樹脂製の足元化粧カバー１１を手摺支柱５にビス１２止めすることにより、手摺支柱５の下端部と堰壁上面１ａとの隙間を隠蔽できて、外観上の体裁を良くすることができる上に、手摺支柱５の下端面が雨水等に直接晒されることがなく、その部分の腐食を極力抑えることができる。
【００１０】
請求項３に係る発明によれば、足元化粧カバー１１を、堰壁１上に立設された手摺支柱５に対し簡単容易に取り付けることができ、またこのカバー１１が破損するなどして取り替えを要する時に簡単容易に取り替えることができる。
【発明を実施するための最良の形態】
【００１１】
以下に本発明の好適実施形態を図面に基づいて説明すると、図１は屋上やベランダ等のコンクリート製堰壁１に設置された手摺７を示しており、この手摺７は、堰壁１上に所要間隔おきに立設されるアルミ押出型材製の角筒状手摺支柱５と、これら手摺支柱５の上端部に連結されるアルミ押出型材の手摺笠木８と、各手摺支柱５，５間にあって、その下部間に取り付けられる横桟９と、各手摺支柱５，５間にあって、手摺笠木８と横桟９との間に取り付けられる間柱としての手摺子１０とから構成される。
【００１２】
図２の(a) に示すように、堰壁上面１ａにはアンカーボルト４を介して手摺支柱５が立設され、この手摺支柱５の足元部には、合成樹脂製の足元化粧カバー１１がビス１２によって取り付けられている。この足元化粧カバー１１は、図２及び図３に示すように、上端開口部１１ａが手摺支柱５に密接外嵌し、下端開口部１１ｂが上端開口部１１ａよりも広口で堰壁上面１ａに密接するような台形筒状に形成されている。
【００１３】
手摺支柱５は、図２及び図３に示すように、アルミ押出型材からなる中空角筒状のもので、内周側の中央部両側対称位置に一対のボルトねじ込み筒１３，１３が軸方向全長にわたり一体形成され、また内周側の四隅部付近に夫々ビスポケット１４が同様に一体形成されている。各ボルトねじ込み筒１３は、アンカーボルト４をねじ込むためのもので、図３の(b) から分かるようにアンカーボルト４の直径より僅かに小さい内径を有する。ビスポケット１４は、図示は省略するが、手摺笠木８を手摺支柱５の上端部にビス止め固定する際にそのビスがねじ込まれるようになっている。アンカーボルト４は、鋼棒の外周面にネジが切られたネジ棒で、安価にて市販されているものである。
【００１４】
次に、上記のように堰壁１上に立設される手摺支柱５の取付手順について説明すると、先ず、各手摺支柱５のボルトねじ込み筒１３にその下端部よりアンカーボルト４の一端部側を、所要長さだけ、例えばアンカーボルト４の全長の１／３程度ねじ込んで固定して、その他端部側を手摺支柱５の下端から突出させる。この時、手摺支柱５の下端から突出するアンカーボルト４の突出長さは、例えば全長の２／３となる。
【００１５】
一方、図３の(a) に示すように、コンクリート製の堰壁１における支柱取付位置に一対のボルト埋設用凹孔２，２を図示しない穿孔具によって穿設し、この一対のボルト埋設用凹孔２，２に液状の速乾性硬化性充填剤３を充填する。この充填剤３の注入量は、凹孔２にアンカーボルト４を挿入した際に充填剤３が凹孔２から溢れ出ない程度の量とする。
【００１６】
この速乾性硬化性充填剤３は、使用時に液状で、硬化によって硬質層を形成する材料であればよく、例えば乾燥硬化型や反応硬化型の各種接着剤、シール材、硬質合成樹脂発泡体、非発泡硬質合成樹脂、セメントモルタル等の種々のものを使用することができるが、特に速乾性の乾燥硬化型ないし反応硬化型の各種接着剤、例えば商品名ヒルティ（日本ヒルティ株式会社製）の速乾性硬化性充填剤が好ましく、この充填剤によれば、前記凹孔２に充填剤３を注入し、その直後にアンカーボルト４を挿入することによって約３時間程度で硬化し、アンカーボルト４を定位置に動揺することなく、埋設することができ、その後の作業を迅速且つ正確に行うことが出来る。
【００１７】
上記のように速乾性硬化性充填剤３を充填したボルト埋設用凹孔２，２に、手摺支柱５の下端から突出した一対のアンカーボルト４，４を挿入すれば、両アンカーボルト４，４は、数時間後に充填剤３が硬化することによって、堰壁１上に直立状態に堅固に取り付け固定されることになる。
【００１８】
こうして手摺支柱５を堰壁１上に立設した後、図１に示すように、手摺笠木８、横桟９、手摺子１０、足元化粧カバー１１を取り付ける。
【００１９】
上記足元化粧カバー１１の構造及びその取付要領について以下に説明する。
【００２０】
この足元化粧カバー１１は、図３の(a) ，(b) 及び図４の(a) から分かるように、台形筒状に形成される周壁１５ａの一部が切除されて水平断面略Ｃ字状に形成されたカバー本体１５と、このＣ字状カバー本体１５の切欠開口部１６を補完する形状に形成され、その切欠開口部１６に着脱可能に掛嵌される取付片１７とからなるもので、カバー本体１５及び取付片１７は夫々個別に合成樹脂によって一体成形され、取付片１７には手摺支柱５にビス１８止めするためのビス孔１９が設けられている。また、手摺支柱５の下端所要部には取付片１７のビス孔１９に対応する位置にネジ孔２４が設けられている。
【００２１】
カバー本体１５の切欠開口部１６の左右両端面には夫々、横断面外向きコ字状の掛嵌凹部２０が上下方向に延設され、この切欠開口部１６に取り付けられる取付片１７の左右両端部には切欠開口部１６側の掛嵌凹部２０，２０に掛嵌する掛嵌凸部２１，２１が上下方向に延設されている。また取付片１７の上下端部には、カバー本体１５の切欠開口部１６への取付時にこのカバー本体１５の上下端面と夫々面一状に係合するための凸片２２，２３が夫々突設されている。
【００２２】
上記のような構成よりなる足元化粧カバー１１を手摺支柱５の足元に取り付けるには、水平断面略Ｃ字状に形成されたカバー本体１５の切欠開口部１６を図４の(a) にＨで示す矢印方向に押し広げて拡開した状態でこのカバー本体１５を、堰壁１上に立設された手摺支柱５の足元部分に嵌め込み、このカバー本体１５の切欠開口部１６に取付片１７を掛嵌させて取り付ける。この時、取付片１７の左右端部の掛嵌凸部２１，２１が切欠開口部１６側の掛嵌凹部２０，２０に掛嵌し、また上下端部の凸片２２，２３が切欠開口部１６の上下端部に突入してカバー本体１５の上下端面と夫々面一状に係合する。こうして切欠開口部１６に取り付けた取付片１７のビス孔１９からビス１８を手摺支柱５のネジ孔２４をねじ込むことにより、足元化粧カバー１１は、図３の(a) 及び(b) に示すように、上端開口部１１ａが手摺支柱５に密接外嵌し、下端開口部１１ｂが堰壁上面１ａに密接した状態で、手摺支柱５の足元部を覆うように取り付けられる。
【００２３】
このように、足元化粧カバー１１は、周壁１５ａの一部が切除されて水平断面略Ｃ字状に形成されたカバー本体１５と、このカバー本体１５の切欠開口部１６を補完する形状に形成され、その切欠開口部１６に着脱可能に掛嵌される取付片１７とから構成され、取付片１７が手摺支柱５にビス１８止めされるようになっているから、堰壁１上に立設された手摺支柱５に対して簡単容易に取り付けることができ、またこのカバー１１が破損するなどして取り替えを要する時には簡単容易に取り替えることができる。
【００２４】
図２及び図３には、内部に２つのボルトねじ込み筒１３，１３が形成されたアルミ押出型材からなる手摺支柱５を取り付ける場合の実施形態を示したものであるが、図５及び図６には、内部に１つのボルトねじ込み筒１３が形成されたアルミ押出型材からなる手摺支柱５を取り付ける場合の実施形態を示す。即ち、この図５及び図６に示す手摺支柱５は、アルミ押出型材からなる中空角筒状のもので、内部の中央１箇所にボルトねじ込み筒１３が支持壁部２５，２５を介して軸方向全長にわたり一体形成され、また内周側の四隅部に夫々ビスポケット１４が一体形成されている。
【００２５】
この図５及び図６に示す手摺支柱５の取付構造については、上記のように手摺支柱５の内部に１つのボルトねじ込み筒１３が形成されていて、このボルトねじ込み筒１３にねじ込み固定される１本のアンカーボルト４にて取付けを行うようにした点が異なるだけで、この点以外は全て、図５及び図６に示す手摺支柱５の取付構造と同じであるため、図面のみ示して、取付施工手順その他の詳しい説明は省略する。尚、手摺支柱５の内部にはボルトねじ込み筒１３を３つ以上形成して、それらにアンカーボルト４を夫々ねじ込むようにしてもよい。
【００２６】
以上説明したように、本発明に係る手摺支柱５の取付構造によれば、手摺支柱５の取付けにあたっては、内部にボルトねじ込み筒１３を軸方向に一体形成したアルミ押出型材からなる手摺支柱５のボルトねじ込み筒１３にアンカーボルト４の一端部側をねじ込んで、その他端部側を手摺支柱５の下端より突出させ、このアンカーボルト４の突出端部側を、堰壁１のボルト埋設用凹孔２に硬化性充填剤を介して挿入し、この充填剤の硬化によってアンカーボルト４を堰壁１上に直立状態に取り付け固定したものであって、従来のように支柱アンカーを特別に製作する必要がなく、またボルト埋設用凹孔へのアンカーの挿入後に手摺支柱をアンカーに固定する作業等が一切不要であるから、従来の取付構造に比べ、手摺支柱５の取付施工がきわめて簡単且つ容易となって、施工費の大幅な低減化を図ることができる。
【図面の簡単な説明】
【００２７】
【図１】本発明の一実施形態における手摺の外観正面図である。
【図２】(a) は同手摺支柱の縦断側面図、(b) は手摺支柱の横断面図である。
【図３】(a) は同手摺支柱の横断平面図、(b) は(a) のＸ−Ｘ線断面図である。
【図４】(a) は足元化粧カバーの一部切欠分解斜視図、(b) は同カバーの取付状態を示す拡大横断面図、(c) は(a) のＺ−Ｚ線拡大断面図である。
【図５】(a) は本発明の他の実施形態による手摺支柱の縦断側面図、(b) は同手摺支柱の横断面図である。
【図６】(a) は図５に示す手摺支柱の横断平面図、(b) は(a) のＹ−Ｙ線断面図である。
【符号の説明】
【００２８】
１            堰壁
２            ボルト埋設用凹孔
３            充填剤
４            アンカーボルト
５            手摺支柱
１１          足元化粧カバー
１１ａ        足元化粧カバーの上端開口部
１１ｂ        足元化粧カバーの下端開口部
１３          ボルトねじ込み筒
１５          カバー本体
１６          切欠開口部
１７          取付片
【図１】
2005226376.tif 000003
【図２】
2005226376.tif 000004
【図３】
2005226376.tif 000005
【図４】
2005226376.tif 000006
【図５】
2005226376.tif 000007
【図６】
2005226376.tif 000008